(57)【要約】      （修正有）【課題】マグネットの磁力により簡単に操作出来る、着脱可能な前掛け式跳ね上げ多機能型眼鏡枠の提供。【解決手段】前掛けフレーム２を着脱、跳ね上げ両機能をブリッジに集約するためにフレーム１を正面から見て逆Ｖ字形、更に跳ね上げ角度においても９０度〜１３０度のＶ字形にする事が大事で両ブリッジ３，４を重ね合わせた状態で相対的な位置にマグネットを装嵌して、マグネットの磁力を利用してフロントフレームブリッジ３と前掛けフレームブリッジ４を保持、安定させる。【選択図】図２
2004334067.tif 000002
【特許請求の範囲】
【請求項１】
フロントフレームブリッジの形状が正面から見て逆Ｖ字形に、更に上面から見て逆Ｖ字形に形成された前掛け式跳ね上げ眼鏡枠において、フロントフレームブリッジにブリッジの中央を対称に１対から複数対のマグネットを配列嵌装され、フロントフレームブリッジと前掛けフレームブリッジとはＶ字形に屈曲された前掛けフレームブリッジがフロントフレームブリッジの突先部に冠着するように組み合わされ、フロントフレームブリッジの上側（以下上側ブリッジと呼ぶ）の形状はフロントフレームブリッジの上面に嵌合されたマグネットの中心軸と直線上になるように放射状にそして相対的にフロントフレームブリッジと同数対になるように形成しマグネットも嵌合されていて、フロントフレームブリッジの下側（以下下側ブリッジと呼ぶ）形状は上側ブリッジ形状と同様フロントフレームブリッジの下面に嵌合されたマグネットの中心軸と直線上になるように放射状にそして相対的にフロントフレームブリッジと同数対になるように形成しマグネットも嵌合されて居り、更に下側形状はフロントフレームブリッジの上面と上側ブリッジの下面とがマグネットによって接着された状態でフロントフレームブリッジの下面と下側ブリッジの上面との跳ね上げ角度が９０度から１３０度開いて形成、組み合わされ、マグネットの磁力により前掛け枠の着脱が簡単で跳ね上げ動作も簡単で安定したブリッジ機構を装備した着脱可能な跳ね上げ眼鏡枠。
【請求項２】
着脱可能な前掛け式跳ね上げツーポイントイント眼鏡枠において、請求項１のブリッジ機構を装備した、着脱可能な前掛け式跳ね上げツーポイントイント眼鏡枠。
【請求項３】
着脱可能な前掛け式跳ね上げナイロール眼鏡枠において、請求項１のブリッジ機構を装備した、着脱可能な前掛け式跳ね上げナイロール眼鏡枠。
【請求項４】
着脱可能な前掛け式跳ね上げ樹脂製眼鏡枠において、請求項１のブリッジ機構を装備した、着脱可能な前掛け式跳ね上げ樹脂製眼鏡枠。
【請求項５】
着脱可能な前掛け式跳ね上げ普通眼鏡枠において、請求項１のブリッジ機構を装備し、前掛け枠がツーポイントイント眼鏡枠又はナイロール眼鏡枠で組み合わされた着脱可能な前掛け式跳ね上げ普通眼鏡枠。
【請求項６】
着脱可能な前掛け式跳ね上げ樹脂製眼鏡枠において、請求項１のブリッジ機構を装備し、前掛け枠がツーポイントイント眼鏡枠又はナイロール眼鏡枠で組み合わされた着脱可能な前掛け式跳ね上げ樹脂製眼鏡枠。
【発明の詳細な説明】
【０００１】
【発明の属する技術分野】
本発明は着脱可能な前掛け式跳ね上げ眼鏡枠において、フロントフレーム、前掛けフレーム双方がフロントフレーム、前掛けフレームのブリッジに嵌合されたマグネットを介して着脱、跳ね上げの両機構をマグネットの磁力によって安定して装着する事が出きる着脱可能な前掛け式跳ね上げ眼鏡枠に関するものである。
【０００２】
【従来の技術】
従来の跳ね上げ眼鏡枠はブリッジの断面形状が略楕円でかつ全体として弓状に湾曲してリムに固定されそれをブリッジ筐体嵌挿しその上から板バネによってブリッジ筐体の内側に押圧され板バネ力と略楕円を利用して跳ね上げ力を出している（例えば、特許文献１参照）      また、リムの上部（上リム）の所に跳ね上げ機構をカムやコイルスプリングを利用した物もある（例えば、特許文献２参照）
【特許文献１】特開２００３−１５０８９号公報
【特許文献２】特開２００２−２３１１２号公報、特開２００１−２２１９８０号公報
【０００３】
前掛け枠ではマグネットの磁力を利用した物（例えば、特許文献３参照）
【特許文献３】特表２００３−５１０６３４号公報、特開２００２−６２７３号公報、特表２００２−５２９７６６号公報、特開２０００−７５２５３号公報、特開平９−１０１４８９号公報、特開平９−１０５８８９号公報、特開平７−１２８６２０号公報
【０００４】
着脱可能な前掛け式跳ね上げ眼鏡枠ではトップブリッジ、上リムを利用し精密小部品、コイルスプリングや湾曲されたトップブリッジの回転反発力を応用した物もある（例えば、特許文献４参照）
【０００５】
また、トップブリッジにマグネットを嵌装し両機能をはたしている物もある（例えば、非特許文献１参照）
【特許文献４】特開平１１−２０２２６９号公報、特開２０００−２８６１号公報
【非特許文献１】福井新聞２００３年４月９日ｐ．５出版  記載
【０００６】
【発明が解決しようとする課題】
トップブリッジが設けられた眼鏡枠は男性用に多く用いられ、女性用にはデザイン性に於いて、敬遠されていた。
【０００７】
更に従来のデザインに於いてはツーポイント眼鏡枠には着脱、跳ね上げの両機能を設ける事は不可能に思われたが、着脱、跳ね上げの両機能をブリッジに集約すれば上記の課題が解決し、この課題を解決すれば男女、特に女性には朗報で眼鏡枠を顔面に装着した状態で前掛け枠を着脱出来、ファションに特に敏感な女性や若人に好まれる様になる。
【課題を解決する為の手段】
【０００８】
機構をブリッジに集約しフロントフレームブリッジの側面から見て突先部に前掛けフレームブリッジの屈曲されたブリッジ部を冠着するように前掛けフレームブリッジを組み合わせその形状は正面から見て逆Ｖ字形、上面から見て逆Ｖ字形に形成し更に前掛けフレームブリッジの屈曲された角度が９０度から１３０度開いて形成されている。その開度された角度が前掛けフレームの前掛け状態、跳ね上げ状態の揺動角度になる様に形成、組み合わせ、そのフロントフレームブリッジと二つに屈曲された前掛けフレームブリッジは正面から見て中心線を対称にマグネットが配置嵌装されフロントフレームブリッジのマグネットを中に上面の前掛けフレームブリッジマグネット、下面の前掛けフレームブリッジマグネットが異極、対面になるように配列嵌合し、さらに双方のブリッジが３次元的に曲げられて形成されているからマグネットも放射状に嵌合する。
【０００９】
【実施例】
図−４−１〜３の機構図を基に図−１，２，３の普通枠、図−５，６のツーポイント枠、図−７，８のナイロール枠等を製作実施したものの図であり、普通枠のみ前掛け枠をはずした状態の図を図−３に示した。ツーポイント枠、ナイロール枠の前掛け枠をはずした状態図は同様なので省略した。
【００１０】
図−４−１〜３の機構図を基に部品を製作し、但し、フロントフレームブリッジと前掛けフレームブリッジ基本的な寸法、形状はフロントフレームブリッジと前掛けフレームブリッジには１個から数個のマグネットが嵌着されており、そのマグネットは表裏の両極（Ｎ極，Ｓ極）を利用し、前掛けフレームブリッジにはフレームブリッジマグネットの表面の間隔傾斜等が相対的に面着するように形成されマグネットは１個から数個嵌合し又フロントフレームブリッジマグネットの裏面の間隔傾斜等が相対的に面着するように形成されマグネットは１個から数個嵌合されている。マグネットの数量は両ブリッジの中心軸を対称にして１対づつ設けることが望ましい、デザインで許されれば複数個対称的に配列しても差し支えない、マグネットのＮ／Ｓ極の方向は同一方向が望ましい、理由は嵌入後着磁器によって着磁する工程を選択する時、間隔が狭いために着磁されたマグネットが隣の石に着磁する際、減磁されるおそれがある。
【００１１】
本考案は図４−３で示すように逆Ｖ字形にフレームブリッジと前掛けフレームブリッジをデザインする事が大事でフレームブリッジと前掛けフレームブリッジに嵌入された左右のマグネットの磁力により相対的に吸着し逆Ｖ字形の形状により各々のフレームは互いに中心で接着する様になる。さらに跳ね上げの際は前掛け用、跳ね上げ用の各々の磁力が跳ね上げ用角度９０度〜１３０度に説計されているために揺動を開始した時点でフレームブリッジの頂角部と前掛けフレームブリッジ谷底角部があたかもピポット軸受けの様な働きをし、頂角部と谷底角部の接着面を中心として揺動する、所定の位置で跳ね上げ用マグネットが接着し跳ね上げられた状態で安定する。又元の前掛けにする際は同じような動作によって前掛け状態で安定する。
【００１２】
更に、前掛けフレームは磁力により接着している状態で磁力よりも大きな力で外せば簡単に外れ、好みの、色違いのサングラスの変更や矯正用眼鏡、又形態違い（普通フレームにナイロールフレーム、ツーポイントフレーム等）を取り替えることが簡単に操作出来る。
【００１３】
【発明の効果】
着脱可能な前掛け式跳ね上げ眼鏡枠において、従来の物はいずれもバネ、フレームの弾力性、等を応用し構造も複雑で耐久性も良くなかった。
又操作性に於いても眼鏡枠を顔面から外して前掛け枠の交換を行わなければならなかった。更にトップブリッジが設けられた眼鏡枠は男性用に多く用いられ、女性用にはデザイン性に於いて、敬遠されていた。更に従来のデザインに於いてはツーポイント眼鏡枠には着脱、跳ね上げの両機能を設ける事は不可能に思われた。
【００１４】
本考案は着脱、跳ね上げの両機能をブリッジに集約し男女、特に女性には朗報で眼鏡枠を顔面に装着した状態で前掛け枠を着脱出来、普通フレームは基よりツーポイントフレーム、ナイロールフレーム等採用が可能である。その為にファションに特に敏感な女性や若人に好まれる様になる。また耐久性に於いては磁石の開発により磁力の特性が良くなり小さくても大きな磁力と保磁力も良く耐久性も非常に良くなり前後、縦方向逆Ｖ字形に形成された双方のブリッジによって安定性も良く部品点数に於いてはフレームブリッジ、前掛けフレームブリッジ、企画化されたマグネットと３種類の部品で成し遂げられ経済的にも比較的安価に提供できる。
【図面の簡単な説明】
【図１】着脱可能な前掛け式跳ね上げ普通眼鏡枠      前掛け状態図
【図２】着脱可能な前掛け式跳ね上げ普通眼鏡枠      跳ね上げ状態図
【図３】着脱可能な前掛け式跳ね上げ普通眼鏡枠      前掛け枠をはずした状態図
【図４−１】機構図  平面図  側面図  前掛け図  跳ね上げ図
【図４−２】機構図  側面断面図
【図４−３】機構図  正面断面図
【図５】着脱可能な前掛け式跳ね上げツーポイント眼鏡枠            前掛け状態図
【図６】着脱可能な前掛け式跳ね上げツーポイント眼鏡枠          跳ね上げ状態図
【図７】着脱可能な前掛け式跳ね上げナイロール眼鏡枠    前掛け状態図
【図８】着脱可能な前掛け式跳ね上げナイロール眼鏡枠    跳ね上げ状態図
【符号の説明】
１    フロントフレーム
２    前掛けフレーム
３    フロントフレームブリッジ
４    前掛けフレームブリッジ
４−１  前掛けフレームブリッジ（上側ブリッジ）
４−２  前掛けフレームブリッジ（下側ブリッジ）
５    ヨロイ
６    テンプル
７    モダン
８    鼻あてパット
９    マグネット１
１０  マグネット１′
１１  マグネット２
１２  マグネット２′
１３  マグネット３
１４  マグネット３′
１５  レンズ（フロントフレーム用）
１６  レンズ（前掛けフレーム用）
１７  レンズ（ツーポイントフロントフレーム用）
１８  レンズ（ツーポイント前掛けフレーム用）
１９  ツーポイント用ツカミ付きフロントフレームブリッジ
２０  ツーポイント用ツカミ付きヨロイ
２１    ナイロールフロントフレーム
２２  レンズ（ナイロールフロントフレーム用）
２３  レンズ止め糸
【図１】
2004334067.tif 000003
【図２】
2004334067.tif 000004
【図３】
2004334067.tif 000005
【図４−１】
2004334067.tif 000006
【図４−２】
2004334067.tif 000007
【図４−３】
2004334067.tif 000008
【図５】
2004334067.tif 000009
【図６】
2004334067.tif 000010
【図７】
2004334067.tif 000011
【図８】
2004334067.tif 000012